(57)【特許請求の範囲】
【請求項１】
台座に上下に貫通する通孔を設け、通孔の上側開口を覆うように台座の上面に艾を設け、通孔の途中に伝熱材を設けて通孔を伝熱材で閉塞し、通孔の下側開口を上側開口よりも大きく形成することによって、皮膚への台座の接触面積を小さく形成して成ることを特徴とする温灸器。
【請求項２】
伝熱材が和紙であることを特徴とする請求項１に記載の温灸器。
【発明の詳細な説明】
【０００１】
【発明の属する技術分野】
本発明は、患部の灸治療に用いる温灸器に関するものである。
【０００２】
【従来の技術】
艾を皮膚の患部の経穴（ツボ）にのせて火を付け、その熱気によって治療をおこなう灸治療が漢方療法として古来よりおこなわれている。しかしこのように皮膚に直接艾をのせて火を付けると、皮膚に火傷跡が残ったり熱さのために苦痛を感じたりする問題がある。
【０００３】
このために、厚紙等で形成される台座１の上面に薄紙５で巻いた艾３を設けて形成した図２のような温灸器が提供されている。この温灸器は台座１の下面に設けた粘着剤で台座１を皮膚（肌）１０に貼り付け、この状態で艾３に火を付けるようにするものであり、図２に矢印で示すように、艾３の燃焼熱は台座１に設けた通孔２を通して皮膚１０に伝わるが、艾３は皮膚１０に接していないために艾３に付けた火が皮膚１０に直接作用することがなくなり、皮膚１０に火傷が生じたり極端な熱さを感じたりすることなく灸治療をおこなうことができるのである。
【０００４】
【発明が解決しようとする課題】
しかし、上記の温灸器では通孔２からだけでなく台座１からの熱伝導も多いために、温熱が浸透する範囲が広くなり皮膚表面の温度が上昇しやすく、しかも、図２に矢印で示すように、艾３の燃焼熱が直線的に進行して直接皮膚表面に達して浸透することになり、熱さを強く感じるという人もいた。そこで、熱さを軽減することができる温灸器が求められていた。
【０００５】
本発明は上記の点に鑑みてなされたものであり、熱さを軽減して柔らかい温熱で灸治療を行なうことができる温灸器を提供することを目的とするものである。
【０００６】
【課題を解決するための手段】
本発明の請求項１に係る温灸器は、台座１に上下に貫通する通孔２を設け、通孔２の上側開口を覆うように台座１の上面に艾３を設け、通孔２の途中に伝熱材４を設けて通孔２を伝熱材４で閉塞し、通孔２の下側開口を上側開口よりも大きく形成することによって、皮膚１０への台座１の接触面積を小さく形成して成ることを特徴とするものである。
【０００７】
また、本発明の請求項２に係る温灸器は、請求項１の構成に加えて、伝熱材４が和紙であることを特徴とするものである。
【０００９】
【発明の実施の形態】
以下、本発明の実施の形態を説明する。
【００１０】
台座１は従来と同様に厚紙など断熱性を有する厚み２〜４ｍｍ程度の円板材で形成されており、その中央部に上下に貫通する円形の通孔２が穿設されている。また、台座１の下面には粘着剤が塗布されている。この台座１の上面には艾３が取着されている。艾３はヨモギの葉を乾燥して綿状に製されるものであり、和紙等の薄紙５で巻いて細い円柱状に成形されている。そして、艾３の下面で通孔２の上側開口を覆うようにして台座１の上面に艾３が配設されている。
【００１１】
上記の台座１の通孔２の下部は小径孔部２ａと大径孔部２ｂで構成されている。小径孔部２ａは大径孔部２ｂよりも孔径が小さくて大径孔部２ｂよりも上側に形成されている。小径孔部２ａは台座１の上面に開口されており、この小径孔部２ａの上側開口で上記の通孔２の上側開口が形成されている。また、大径孔部２ｂは小径孔部２ａよりも孔径が大きくて小径孔部２ａよりも下側に形成されている。大径孔部２ｂは台座１の下面に開口されており、この大径孔部２ｂの下側開口で通孔２の下側開口が形成されている。従って、通孔２の下側開口は上側開口よりも大きく形成されている。
【００１２】
また、小径孔部２ａの下側は大径孔部２ｂの上側と連通しているが、その境目には伝熱材４が設けられている。伝熱材４は和紙で形成されるものであって、小径孔部２ａの下側開口を覆うように大径孔部２ｂに配置されている。従って、通孔２は伝熱材４で分離された小径孔部２ａと大径孔部２ｂからなる二重構造に形成されている。尚、大径孔部２ｂは台座１の下面をえぐるようにして形成することができる。
【００１３】
上記のように形成される本発明の温灸器を用いて灸治療をおこなうにあたっては、まず、台座１の下面の粘着剤で患部の皮膚１０に台座１を貼り付け、次に、艾３に火を付けるようにする。そして、艾３に火を付けるとその燃焼熱が台座１の通孔２を通して皮膚１０に伝わり、灸治療をおこなうことができるものである。
【００１４】
本発明の温灸器では、皮膚１０の上には台座１が載っていて艾３は皮膚１０に直接接していないために、艾３に付けた火が皮膚１０に直接作用することがなく、皮膚１０に火傷が生じたり極端な熱さを感じたりすることなく灸治療をおこなうことができるのである。
【００１５】
また、本発明の温灸器では通孔２の下側開口を上側開口よりも大きく形成するので、一定の底面積（従来と同じ底面積）を有する台座１を用いた場合に、台座１と皮膚１０の接触面積を従来よりも少なくすることができ、台座１からの熱伝導を軽減することができるものである。従って、温熱が浸透する範囲が狭くなって皮膚表面の温度が上昇しにくくなり、熱さを軽減することができるものである。
【００１６】
さらに、本発明の温灸器は通孔２の途中に伝熱材４を設けるので、伝熱材４がクッションのような作用をして艾３の燃焼熱が直線的に進行しないように遮ることができる。つまり、図１の矢印Ａのように、艾３の燃焼熱は伝熱材４により直線的に進行するのを遮られ、一旦、伝熱材４の上側の小径孔部２ａの空間にこもって温熱が弱められ（温度が低くなる）、次に、図１の矢印Ｂのように、弱められた温熱が伝熱材４に伝わり、さらに伝熱材４からその下側の大径孔部２ｂに伝わってここで再びこもってさらに弱められ、この後、弱められた温熱が皮膚１０から浸透していくものである。従って、弱められた柔らかい温熱が経穴を包み込むように浸透することになって皮膚表面の温度が上昇しにくくなり、熱さを軽減することができるものである。
【００１７】
【発明の効果】
上記のように本発明の請求項１の発明は、台座に上下に貫通する通孔を設け、通孔の上側開口を覆うように台座の上面に艾を設け、通孔の途中に伝熱材を設けて通孔を伝熱材で閉塞するので、艾の燃焼熱は、一旦、伝熱材の上側の空間にこもって温熱が弱められることになり、伝熱材がクッションのような作用をして艾の燃焼熱が皮膚へ直線的に進行しないように遮ることができ、熱さを軽減して柔らかい温熱で灸治療を行なうことができるものである。また、通孔の下側開口を上側開口よりも大きく形成することによって、皮膚への台座の接触面積を小さく形成するので、台座と皮膚の接触面積を少なくすることができ、台座からの熱伝導を軽減することができるものであり、熱さを軽減して柔らかい温熱で灸治療を行なうことができるものである。
【００１８】
また、本発明の請求項２の発明は、伝熱材が和紙であるので、艾の燃焼熱が余計に遮られることがなく、充分な温熱で灸治療を行なうことができるものである。
【図面の簡単な説明】
【図１】本発明の実施の形態の一例を示す断面図である。
【図２】従来例を示す断面図である。
【符号の説明】
１  台座
２  通孔
３  艾
４  伝熱材
１０  皮膚
【図１】
0003581635.tif 000002
【図２】
0003581635.tif 000003